(57)【要約】  【課題】引出し装置を備えた冷蔵庫に関し、ガタツキの少ない高品位かつ荷重を加えても操作力の小さい使い勝手の良い引出しを有する冷蔵庫を提供する。  【解決手段】レール部材３１は、固定レール３１ａと移動レール３１ｂと中間走行レール３１ｃとベアリング３１ｄとを予め組み込んだ状態で固定レール３１ａを内箱２０の両側壁面に補強部材３３を設けて固定するものにおいて、レール部材３１の固定レール３１ａの内箱側への取付は、固定レール３１ａの後端部Ｂ面を係止部材３７に前方より挿入、係止し、位置決めピン３８、４１にそれぞれ対応した位置決めピン用穴４３、４４を有して、固定レール３１ａを仮固定して、補強部材３３に固定レール３１ａを固定したものであり、組立工程でのレール部材３１の取り付け作業性を高めることができる。【選択図】図６
2006046711.tif 000002
【特許請求の範囲】
【請求項１】
内箱と、外箱と、前記内箱と外箱間に充填した発泡断熱材とよりなる前面開口部を有する断熱箱体を備え、内部に備えた容器を前後に移動可能とするレール部材を左右に設け、前記レール部材は固定レールと移動レールとを有し、前記固定レールと移動レールはそれぞれ回転支持部材で支持され前記固定レールと移動レールを予め組み込んだ状態でレール部材を断熱箱体に固定するものにおいて、レール部材取付面の内箱発泡断熱材側に補強部材を備え、前記固定レールの後端部を前記補強部材の係止部材に前方より挿入、係止してから固定することを特徴とする冷蔵庫。
【請求項２】
レール部材取付面の内箱発泡断熱材側に補強部材を備え、前記補強部材の前方および後方には前記固定レール位置決め用の位置決めピンを有し、前記位置決めピンに前記固定レールを仮固定して、前記補強部材に前記固定レールを固定したことを特徴とする請求項１に記載の冷蔵庫。
【請求項３】
補強部材の後方の位置決めピンは、固定レールの後端部を係止する係止部材より前方下部に配置したことを特徴とする請求項２に記載の冷蔵庫。
【請求項４】
補強部材の前方および後方に備えた位置決めピンに対向した固定レールには位置決めピン用穴を有するとともに、前記位置決めピン用穴の近傍に固定レール取付穴をそれぞれ設け、少なくとも前方の固定レール取付穴を用いて前記補強部材にビス止めしたことを特徴とする請求項２または３に記載の冷蔵庫。
【請求項５】
固定レールの位置決めピン用穴の近傍に設ける固定レール取付穴は、後方の取付穴は位置決めピン用穴の後方、前方の取付穴は位置決めピン用穴の前方とすることを特徴とする請求項２から４のいずれか一項に記載の冷蔵庫。
【発明の詳細な説明】
【技術分野】
【０００１】
本発明は、引出し装置を備えた冷蔵庫に関し、特に引出しレール取付けの構成に関するものである。
【背景技術】
【０００２】
近年、冷蔵庫は大型化に伴い、収納量が増加の傾向にあり、収納量の増加、使い勝手の向上を図るため、引出し装置を備えたものが主流となってきている（例えば、特許文献１参照）。
【０００３】
以下、図面を参照しながら、上記従来の引出し装置を備えた冷蔵庫について説明する。
【０００４】
図８は、従来の冷蔵庫の引出し式扉の斜視図である。図９は従来の冷蔵庫の引出し装置の要部断面図である。図１０は、従来の冷蔵庫の引出し装置の断面図である。従来技術の冷蔵庫の引出し装置１７は、冷蔵庫本体前面の開閉自在の扉１と、この扉裏面左右に一端を固定したフレーム２と、後端を連結した連結フレーム１６と、フレーム２の後端に取り付けられた可動ローラ３と、内箱側壁４に固定，取付けられた前記フレーム２と可動ローラ３を摺動支持する固定レール５と固定ローラ６と、前記フレーム２と、連結フレーム１６に載置された庫内ケース１５で構成される。また、フレーム側面９は平面であり、固定レール５の溝部１２も平面である。
【０００５】
そして、扉１の扉裏面左右にあらかじめ固定したフレーム２の後端に取り付けられた可動ローラ３を、冷蔵庫本体側にあらかじめ取り付けた固定レール５の溝部１２に挿入し、フレーム２の底面と固定ローラ６が接して摺動するように組み込まれるものである。
【０００６】
上記構成において、扉１を開閉すると、扉１に一端を固定したフレーム２と、フレーム２に連結された連結フレーム１６と、これらに載置された庫内ケース１５と可動ローラ３が、固定レール５と固定ローラ６上を摺動し、扉１と同期した前後方向の動きを可能としている。
【特許文献１】実公昭６０−２７９１３号公報
【発明の開示】
【発明が解決しようとする課題】
【０００７】
しかしながら、上記従来の冷蔵庫では、扉１の扉裏面左右にあらかじめ固定したフレーム２を冷蔵庫本体側にあらかじめ取り付けた固定レール５に組み込んで使用するため、フレーム２あるいは固定レール５の取付ばらつき、組立性を考慮して、組み込み状態でレールとローラ間には、ある程度のクリアランスを設定して設計している。このクリアランスにより扉１の開閉時に左右のガタツキが生じ、操作性が損なわれたり、操作時の品位が上がらないという課題を有していた。
【０００８】
本発明は上記従来の課題を解決するものであり、ガタツキの少ない高品位かつ荷重を加えても操作力の小さい使い勝手の良い引出しを有する冷蔵庫を提供することを目的とする。
【課題を解決するための手段】
【０００９】
上記従来の課題を解決するために、本発明の冷蔵庫は、固定レールと移動レールとをあらかじめ組み込んだ状態のレール部材を内箱壁面に固定し、その後、容器をレール部材に支持するとともに、レール部材取付面の内箱発泡断熱材側に補強部材を備え、前記固定レールの後端部を前記補強部材の係止部材に前方より挿入、係止してから固定するものである。
【００１０】
これによって固定レールと移動レールとのクリアランスを小さくすることができ、ガタツキの少ない高品位な引出しを構成することができるとともに、レール部材の取り付け作業性を高めることができる。
【発明の効果】
【００１１】
本発明の冷蔵庫は、ガタツキが小さく、寸法精度を高め、容器に荷重を加えた場合でも滑らかに引出しを開閉することができ、高品位で使い勝手の良い生産性の高い冷蔵庫を提供することができる。
【発明を実施するための最良の形態】
【００１２】
請求項１に記載の発明は、内箱と、外箱と、前記内箱と外箱間に充填した発泡断熱材とよりなる前面開口部を有する断熱箱体を備え、内部に備えた容器を前後に移動可能とするレール部材を左右に設け、前記レール部材は固定レールと移動レールとを有し、前記固定レールと移動レールはそれぞれ回転支持部材で支持され前記固定レールと移動レールを予め組み込んだ状態でレール部材を断熱箱体に固定するものにおいて、レール部材取付面の内箱発泡断熱材側に補強部材を備え、前記固定レールの後端部を前記補強部材の係止部材に前方より挿入、係止してから固定するものであり、固定レールと移動レールとのクリアランスを小さくすることができ、ガタツキの少ない高品位な引出しを構成することができるとともに、レール部材の取り付け作業性を高めることができる。
【００１３】
請求項２に記載の発明は、請求項１に記載の発明において、レール部材取付面の内箱発泡断熱材側に補強部材を備え、前記補強部材の前方および後方には前記固定レール位置決め用の位置決めピンを有し、前記位置決めピンに前記固定レールを仮固定して、前記補強部材に前記固定レールを固定したものであり、レール部材の取り付け作業性をさらに高めることができる。
【００１４】
請求項３に記載の発明は、請求項２に記載の発明において、補強部材の後方の位置決めピンは、固定レールの後端部を係止する係止部材より前方下部に配置したものであり、係止部材への係止と位置決めピンへの組込をスムーズに行うことができ、組立作業性を高めることができる。
【００１５】
請求項４に記載の発明は、請求項２または３に記載の発明において、補強部材の前方および後方に備えた位置決めピンに対向した固定レールには位置決めピン用穴を有するとともに、前記位置決めピン用穴の近傍に固定レール取付穴をそれぞれ設け、少なくとも前方の固定レール取付穴を用いて前記補強部材にビス止めしたものであり、固定レールの補強部材へのスムーズな組込と確実な固定が可能となる。
【００１６】
請求項５に記載の発明は、請求項２から４のいずれか一項に記載の発明において、固定レールの位置決めピン用穴の近傍に設ける固定レール取付穴は、後方の取付穴は位置決めピン用穴の後方、前方の取付穴は位置決めピン用穴の前方とするものであり、固定レールの位置決めピンへの組込時に前後方向でのズレが生じず、さらに固定レールの補強部材へのスムーズな組込と確実な固定が可能となる。
【００１７】
以下、本発明の実施の形態について、図面を参照しながら説明する。なお、この実施の形態によってこの発明が限定されるものではない。
【００１８】
（実施の形態１）
図１は本発明の実施の形態１における冷蔵庫の側断面図、図２は図１のＡ−Ａ断面図、図３は同実施の形態の冷蔵庫の概略組立図、図４は同実施の形態の冷蔵庫のレール部材の分解組立図、図５は同実施の形態の冷蔵庫のレール部材の断面図、図６は同実施の形態の冷蔵庫のレール部材および補強部材の要部斜視図、図７は同実施の形態の冷蔵庫のレール部材取付け面の要部斜視図である。
【００１９】
図１から図７において、冷蔵庫１８の断熱箱体１９は内箱２０と外箱２１との間に発泡断熱材２２を充填したものであり、前面開口部１９ａを有し、仕切壁２３、２３ａ、２６により、上部より冷蔵室２４、切替室２５、野菜室２７、冷凍室２８を形成している。
【００２０】
また、仕切壁２６の上部に配置する野菜室２７は冷却温度が５℃程度、下部に配置する冷凍室２８は冷却温度が−２０℃程度というように仕切壁２６を介して上下に異なる温度帯に設定されている。
【００２１】
野菜室２７と冷凍室２８とはそれぞれ前面開口部２２ａを野菜室ドア２９と冷凍室ドア３０にて閉塞され、更に野菜室２７と野菜室ドア２９および冷凍室２８と冷凍室ドア３０とはそれぞれレール部材３１にて連結されることにより前後方向に引出し摺動可能となっている。
【００２２】
レール部材３１は固定レール３１ａと、移動レール３１ｂと、固定レール３１ａおよび移動レール３１ｂとの係合を支持する回転支持部材である複数のベアリング３１ｄとからなり、固定レール３１ａと移動レール３１ｂとベアリング３１ｄとを予め組み込んだ状態で固定レール３１ａを内箱２０の両側壁面に固定し、移動レール３１ｂをそれぞれの貯蔵室ドアに固定することでそれぞれの貯蔵室と貯蔵室ドアとを連結している。
【００２３】
なお、固定レール３１ａと移動レール３１ｂと、固定レール３１ａと移動レール３１ｂとの間にベアリング３１ｄを配設したレール部材３１は予め組み込んだものであり、それぞれのレール間のクリアランスを最小限に設定することができる。
【００２４】
また、ベアリング３１ｄは回転支持部材であればよく、たとえばローラ等を用いてもよい。
【００２５】
更に内箱２０の両側壁面に固定された左右のレール部材３１は左右対称の形状を有し、左右共に備えることでより良い摺動性を発揮する。
【００２６】
各貯蔵室の容器３２はレール部材３１を内箱２０に固定後にレール部材３１の移動レール３１ｂに支持し、各貯蔵室ドアを前後方向に引出すのと同期して移動レール３１ｂと共に前後に移動し、更に各貯蔵室ドアを少なくとも全開した時に容器３２は上方向に着脱自在となっている。
【００２７】
補強部材３３は、インジェクション成形された樹脂本体３４と、鋼板をプレス加工した補強ピース３５、４０を組み込んで形成し、内箱２０の発泡断熱材２２を充填する側から引掛け部３６で内箱２０に組み込まれる。補強部材３３の後方に位置する補強ピース３５には、固定レール３１ａの後端部Ｂ面を前方より挿入、係止するための係止部材３７、および固定レール位置決め用の位置決めピン３８、および位置決めピン用穴の近傍後方に固定レール固定用穴３９を一体に成形している。そして、固定レール位置決め用の位置決めピン３８は、固定レール３１ａの後端部Ｂ面を係止する係止部材３７より前方下部に配置している。
【００２８】
また、補強部材３３の前方に位置する補強ピース４０には、固定レール位置決め用の位置決めピン４１、およびその前方に固定レール固定用穴４２を一体に成形している。
【００２９】
図７は、補強部材３３を内箱２０の発泡断熱材２２を充填する側から引掛け部３６で内箱２０に組み込まれた状態のレール部材取付け面の斜視図であり、内箱２０の庫内側には係止部材３７、位置決めピン３８、４１、固定レール固定用穴３９、４２が見える状態で存在している。
【００３０】
そして、固定レール３１ａの内箱側固定面には、位置決めピン３８、４１にそれぞれ対応した位置決めピン用穴４３、４４、および、固定レール固定用穴３９、４２に対応した取付穴４５、４６を有し、固定レール３１ａ後方の位置決めピン用穴４３の後方に固定レール取付穴４５を設け、固定レール３１ａ前方の位置決めピン用穴４４の前方に固定レール取付穴４６を設けている。
【００３１】
ここで、レール部材３１の固定レール３１ａの内箱側への取付方法について説明する。まず、補強部材３３は内箱２０の発泡断熱材２２を充填する側から引掛け部３６で内箱２０に組み込まれた後、発泡断熱材２２が充填発泡される。そして、固定レール３１ａの後端部Ｂ面を係止部材３７に前方より挿入し、最後端部まで挿入したときに位置決めピン３８と位置決めピン用穴４３、および位置決めピン４１と位置決めピン用穴４４が一致し、仮固定される。その後、少なくとも前方の固定レール取付穴４６を用いて前記補強部材３３にビス止めされる。
【００３２】
以上のように構成された冷蔵庫について、以下その動作、作用を説明する。
【００３３】
まず、各貯蔵室ドアを手前に引出すと各貯蔵室の両側部に備えられたレール部材３１の移動レール３１ｂと中間走行レール３１ｃとが回転支持部材３１ｄが回転することにより滑らかに手前側に摺動する。
【００３４】
それに伴い、レール部材３１に支持された容器３２も手前に引出され、容器３２内に収納された被冷却物の取出し及び新たな被冷却物の収納が可能となる。
【００３５】
以上のように本実施の形態においては固定レール３１ａと移動レール３１ｂとをあらかじめ組み込んだ状態のレール部材３１を内箱２０の両側壁面に固定することにより固定レール３１ａと移動レール３１ｂとのクリアランスを小さくすることができ、ガタツキの少ない高品位な引出しを構成することができる。また、固定レール３１ａと移動レール３１ｂとの間を回転支持部材であるベアリング３１ｄで支持することにより容器３２に荷重を加えた場合でも滑らかに移動レール３１ｂが移動できるので引出しの操作力を低減することができ、使い勝手の向上を図ることができる。
【００３６】
また、補強部材３３によりレール部材３１の固定レール３１ａの取付強度を高めることで引出しの操作性を安定して行うことができるとともに、長期にわたって操作性を維持することができる。
【００３７】
なお、レール部材３１の前後、左右、上下寸法あるいは平行度が規定どおりに保持できるように、左右の補強部材３３の位置を規制する位置規制手段を備えてもよい。
【００３８】
また、補強部材３３を各貯蔵室内に露出させないようにしたので補強部材３３を各貯蔵室内部に配置した場合に比べ収納内容積の低減を抑制することができる。
【００３９】
また、上下の固定レール３１ａを連結する補強部材３３を断熱箱体１９の発泡断熱材２２内に埋設したので、冷蔵庫１８の使用時に補強部材３３の結露，着霜の防止を図ることができ、更に補強部材３３が空気と接することが無いので補強部材３３の耐食性を向上させることができる。
【００４０】
また、レール部材３１の固定レール３１ａの内箱側への取付は、固定レール３１ａの後端部Ｂ面を係止部材３７に前方より挿入、係止するものであり、組立工程でのレール部材３１の取り付け作業性を高めることができる。
【００４１】
また、補強部材３３の前方および後方には固定レール位置決め用の位置決めピン３８、４１を有し、固定レール３１ａの内箱側固定面には、位置決めピン３８、４１にそれぞれ対応した位置決めピン用穴４３、４４を有して、固定レール３１ａを仮固定して、補強部材３３に固定レール３１ａを固定したものであり、レール部材３１の取り付け作業性をさらに高めることができる。
【００４２】
また、補強部材３３の後方の位置決めピン３８は、固定レール３１ａの後端部Ｂ面を係止する係止部材３７より前方下部に配置したものであり、係止部材への係止と位置決めピン３８への組込をスムーズに行うことができ、組立作業性を高めることができる。またレール部材３１へ大きな荷重がかかった場合でも係止部材３７より前方下部に位置決めピン３８が配置しているので、位置決めピン３８から固定レール３１ａの外れを防止できる。
【００４３】
また、固定レール３１ａの内箱側固定面には、位置決めピン３８、４１にそれぞれ対応した位置決めピン用穴４３、４４、および、固定レール固定用穴３９、４２に対応した取付穴４５、４６を有し、固定レール３１ａの後端部Ｂ面を係止部材３７に前方より挿入し、最後端部まで挿入したときに位置決めピン３８と位置決めピン用穴４３、および位置決めピン４１と位置決めピン用穴４４が一致し、仮固定され、その後、前方の固定レール取付穴４６を用いて補強部材３３にビス止めすることで、固定レールの補強部材へのスムーズな組込と確実な固定が可能となる。また、後方の固定レール固定用穴３９へのビス止めを廃止でき、作業工数の低減を図ることができる。
【００４４】
また、固定レール３１ａ後方の位置決めピン用穴４３の後方に固定レール取付穴４５を設け、固定レール３１ａ前方の位置決めピン用穴４４の前方に固定レール取付穴４６を設けているので、固定レールの位置決めピンへの組込時に前後方向でのズレが生じず、さらに固定レールの補強部材へのスムーズな組込と確実な固定が可能となる。
【００４５】
なお、本実施の形態では、前方の固定レール取付穴４６を用いて補強部材３３にビス止めするもので説明したが、前方の固定レール取付穴４６と後方の固定レール取付穴４５の両方でビス止めしても、もちろんよい。
【００４６】
また、少なくとも前方の固定レール取付穴４６を用いて補強部材３３にビス止めするので、前方の位置決めピン４１は鋼板の補強ピース４０から一体に成形せず、インジェクション成形された樹脂本体３４から一体に成形してもよい。
【００４７】
また、本実施の形態では、野菜室２７と冷凍室２８にレール部材３１を用いたもので説明したが、引出し容器を備えた貯蔵室に適宜適用できる。たとえば、野菜室２７の上部に位置する切替室２５や、切替室２５の横に併設した製氷室（図示せず）等に用いてもよい。
【産業上の利用可能性】
【００４８】
以上のように、本発明にかかる冷蔵庫は、ガタツキが小さく、容器に荷重を加えた場合でも滑らかに引出しを開閉することができ、高品位で使い勝手の良い引出し収納ができるので、冷凍装置を備えた冷却貯蔵庫の引出し装置等の用途にも適用できる。
【図面の簡単な説明】
【００４９】
【図１】本発明の実施の形態１における冷蔵庫の側断面図
【図２】図１のＡ−Ａ断面図
【図３】同実施の形態の冷蔵庫の概略組立図
【図４】同実施の形態の冷蔵庫のレール部材の分解組立図
【図５】同実施の形態の冷蔵庫のレール部材の断面図
【図６】同実施の形態の冷蔵庫のレール部材および補強部材の要部斜視図
【図７】同実施の形態の冷蔵庫のレール部材取付け面の要部斜視図
【図８】従来の冷蔵庫の引出し式扉の斜視図
【図９】従来の冷蔵庫の引出し装置の要部断面図
【図１０】従来の冷蔵庫の引出し装置の断面図
【符号の説明】
【００５０】
１８  冷蔵庫
１９  断熱箱体
１９ａ  前面開口部
２０  内箱
２１  外箱
２２  発泡断熱材
２６  仕切壁
２７  野菜室
２８  冷凍室
３１  レール部材
３１ａ  固定レール
３１ｂ  移動レール
３１ｄ  ベアリング
３２  容器
３３  補強部材
３７  係止部材
３８、４１  位置決めピン
３９、４２  固定レール固定用穴
４３、４４  位置決めピン用穴
４５、４６  固定レール取付穴
【図１】
2006046711.tif 000003
【図２】
2006046711.tif 000004
【図３】
2006046711.tif 000005
【図４】
2006046711.tif 000006
【図５】
2006046711.tif 000007
【図６】
2006046711.tif 000008
【図７】
2006046711.tif 000009
【図８】
2006046711.tif 000010
【図９】
2006046711.tif 000011
【図１０】
2006046711.tif 000012